(57)【要約】【課題】廃棄時における分別回収のため、コンパクト容器蓋体裏面からの鏡取外しが容易とした。【解決手段】蓋体１１の頂壁裏面へ穿設した鏡嵌合用大凹部１８の後縁へ、前面を開口させて、頂壁後部裏面へ小凹部１９を穿設し、該小凹部内へ抜け落ち不能、かつ前後方向への摺動が自在、更に前方付勢させて操作部材３１を嵌合させ、又大凹部１８内へ嵌合させた鏡４１の前面下部を、大凹部前縁下端に付設した第１係合突条２１で、鏡後部下面を操作部材前面下端に付設した第２係合突条３５で、それぞれ係止させ、操作部材後方押込みで第２係合突条３５が離れて鏡４１の取出しが可能とした。【選択図】　図１
2004033301.tif 000002
【特許請求の範囲】
【請求項１】
蓋体頂壁１２の裏面へ鏡嵌合用の大凹部１８を、又該大凹部の任意の一辺を後縁と定めて、該後縁の一部へ前面を開口させて小凹部１９を、それぞれ穿設すると共に、該小凹部内へ抜け落ち不能に、かつ前後方向への摺動が自在に、更に前方付勢させて操作部材３１を嵌合させ、
又上記大凹部内へ嵌合させた鏡４１の前部下面を大凹部の前縁下端に付設した第１係合突条２１に係合させると共に鏡後部下面を操作部材の前面下端に付設した第２係合突条３５上面へ係合させ、
上記操作部材３１を付勢に抗して後方へ押込むことで、鏡から第２係合突条３５が離脱可能に形成した
ことを特徴とするコンパクト容器の鏡付き蓋体。
【請求項２】
上記小凹部１９の下面左右両部から第１係合板２０，２０　を内方突出させると共に、操作部材３１の上部左右両側から左右外後方へ突設した板バネ３３，３３　後端部を小凹部１９の後壁面へ、かつ操作部材前面を鏡４１の後面へ、それぞれ圧接させ、
又上記板バネ３３，３３　と、操作部材３１の左右両部下面から外方突設した第２係合板３４，３４　との間に上記第１係合板２０を介在させて、小凹部１９内からの操作部材抜け落ちを防止させた
ことを特徴とする請求項１記載のコンパクト容器の鏡付き蓋体。
【請求項３】
上記操作部材３１下面へ左右方向に向けて、コイン嵌合用の横溝３７を穿設した
ことを特徴とする、請求項１又は２記載のコンパクト容器の鏡付き蓋体。
【発明の詳細な説明】
【０００１】
【発明の属する技術分野】
本発明はコンパクト容器の鏡付き蓋体に関する。
【０００２】
【従来の技術】
コンパクト容器はその蓋体頂壁の裏面へ通常鏡を付設している。
【０００３】
【発明が解決しようとする課題】
資源活用のため、異にする複数の材料で形成されている物品は、廃棄時各材料毎に分別して廃棄することが求められている。コンパクト容器は通常合成樹脂材で形成されているが鏡は硝子製であるからその分別廃棄が必要となる。
【０００４】
本発明は蓋体裏面の鏡取外しが容易に設けたものである。
【０００５】
【課題を解決するための手段】
第１の手段として蓋体頂壁１２の裏面へ鏡嵌合用の大凹部１８を、又該大凹部の任意の一辺を後縁と定めて、該後縁の一部へ前面を開口させて小凹部１９を、それぞれ穿設すると共に、該小凹部内へ抜け落ち不能に、かつ前後方向への摺動が自在に、更に前方付勢させて操作部材３１を嵌合させ、
又上記大凹部内へ嵌合させた鏡４１の前部下面を大凹部の前縁下端に付設した第１係合突条２１に係合させると共に鏡後部下面を操作部材の前面下端に付設した第２係合突条３５上面へ係合させ、
上記操作部材３１を付勢に抗して後方へ押込むことで、鏡から第２係合突条３５が離脱可能に形成した。
【０００６】
第２の手段として、上記第１の手段を有すると共に上記小凹部１９の下面左右両部から第１係合板２０，２０　を内方突出させると共に、操作部材３１の上部左右両側から左右外後方へ突設した板バネ３３，３３　後端部を小凹部１９の後壁面へ、かつ操作部材前面を鏡４１の後面へ、それぞれ圧接させ、
又上記板バネ３３，３３　と、操作部材３１の左右両部下面から外方突設した第２係合板３４，３４　との間に上記第１係合板２０を介在させて、小凹部１９内からの操作部材抜け落ちを防止させた。
【０００７】
第３の手段として、上記第１又は第２の手段を有すると共に上記操作部材３１下面へ左右方向に向けて、コイン嵌合用の横溝３７を穿設した。
【０００８】
【発明の実施の形態】
以下図面について説明すると、１はコンパクトの容器本体で、該容器本体周壁２の後壁部２ａ後面には蓋体枢着用の凹部３を設け、又周壁の前壁部２ｂの左右方向中間部には、蓋体前部から垂下させる第２フック係合用の第１フック４を設け、かつ第１フックの下前方に、上記第２フックを押上げて開蓋させるための押釦５を装着させている。
【０００９】
１１は蓋体で、頂壁１２外周から容器本体周壁２上面へ載置させる周壁１３を垂下し、その後壁部１３ａ　からは、既述凹部３内へ嵌合させて軸板１４を垂下し、該軸板と既述凹部３左右の後壁部分とをピン１５で蓋体の開閉が自在に枢着させている。又蓋体頂壁の前部からは第１フック４に係合させるための第２フック１６を垂下させている。
【００１０】
図５が示すように頂壁１２の裏面へは、突条１７を四角形状に配設してその突条内面で大凹部１８を形成している。その大凹部後縁の左右方向中間部へ前面を開口させて、小凹部１９を穿設し、その小凹部１９の左右両側下面から中央方向へ第１係合板２０，２０　を突出している。又その小凹部１９と対向する大凹部前縁部分下端には大凹部下方へ突出させて第１係合突条２１を付設している。
【００１１】
上記小凹部１９内へは、図３のように操作部材３１を嵌合させる。該操作部材は図３、図４が示すように長方形状の板部３２を有し、該板部を上記第１係合板２０，２０　間の小凹部１９内へ嵌合させ、その板部の左右両部下端から斜後外方へ突出させた板バネ３３，３３　先端を小凹部奥壁の左右両部へ当て、又板部上面の左右両部から突出させた第２係合板３４，３４　を、既述第１係合板２０，２０　下面へ当接させ、更に板部３２前面下端の大凹部側へ第２係合突条３５を付設している。又図示例では板部３２下面から後方へ覆合板３６を突出させて該覆合板後部を図２が示すように小凹部後縁の下面へ当接させている。板部の下面へは、コイン嵌合用の横溝３７を左右方向へ向けて穿設している。
【００１２】
既述大凹部１８内へは鏡４１を嵌合させる。該鏡の前縁中間部下面は第１係合突条２１で、又鏡の後縁中間部下面は、第２係合突条３５で、それぞれ支持させ、鏡４１の後面へ上記操作部材の板部３２の前面を当接させている。
【００１３】
上記構成において、鏡４１を外す際は、蓋体開蓋状態において、操作部材３１を後方へ引けばよく、すると、板バネ３３，３３　が弾性変形して板部３２が後退し、すると第２係合突条３５も後退することで鏡４１の後部下面から外れ、よって鏡後部が大凹部１８内から外れるから、鏡後部を持ち後方へ引き乍ら第１係合突条２１から鏡前部を外せばよい。尚横溝３７を設けた場合はコインの側面を横溝内へ嵌め、そのままコインを介して板部３２を後方へ押込めばよい。
【００１４】
図示例にあっては、小凹部１９を蓋体１１の後方側へ設けたが、蓋体の前方側、又側方側に設けてもよい。従って本発明にあってはコンパクト容器本体および蓋体の前後左右と、大凹部、小凹部、および操作部材についての前後左右とは必ずしも一致しないことを注意する必要がある。
【００１５】
【発明の効果】
本発明は既述構成とするもので、請求項１記載のようにすることで、鏡４１の取外しが容易であり、操作部材３１は前方付勢され、板部３２前面を鏡後面へ圧接することとなるため、鏡が大凹部内でガタ付くことがない。
【００１６】
請求項２のようにすることで、小凹部１９内からの操作部材の抜け落ちを防止および操作部材による鏡前方押付けを確実とすることが出来る。
【００１７】
請求項３のようにすることで、操作部材が小形で、指による摺動操作が困難な場合であっても、コイン利用で容易に操作部材を付勢に抗して後方へ押込みすることが容易である。
【図面の簡単な説明】
【図１】本発明の蓋体付きコンパクトの断面図である。
【図２】図１要部の拡大断面図である。
【図３】図１蓋体の底面図である。
【図４】主要部材の断面図である。
【図５】鏡、および操作部材、取外し状態で示す、蓋体の底面図である。
【符号の説明】
１１…蓋体　　　　　　　　　　　　　　　　　　　　　　１７…突条
１８…大凹部　　　　　　　　　　　　　　　　　　　　１９…小凹部
２０…第１係合板　　　　　　　　　２１…第１係合突条
３１…操作部材　　　　　　　　　　３２…板部
３３…板バネ　　　　　　　　　　　　　　　　　　　　３４…第２係合板
３５…第２係合突条　　　　　　　　　　　　　　４１…鏡
【図１】
2004033301.tif 000003
【図２】
2004033301.tif 000004
【図３】
2004033301.tif 000005
【図４】
2004033301.tif 000006
【図５】
2004033301.tif 000007